(57)【要約】【課題】設置状態を安定させるための安定脚を有する機器及び映像表示装置において、使用位置と収納位置との間を移動可能にされた安定脚を使用位置において安易に移動してしまわないようにロックすると共に、安定脚を移動させても不都合が生じないときには使用位置における安定脚のロックが容易に解除されるようにする。【解決手段】安定脚４を装置本体２の接地部分の外縁より外方に突出した使用位置と、装置本体の外縁より内方に収納された収納位置との間を移動可能にすると共に、安定脚は、使用位置においては装置本体に設けられたロック手段１０、１０によって移動がロックされ、下方又は側方からの押圧によってロック手段によるロックが解除されるようにした。【選択図】　　　　　図２
2004056768.tif 000002
【特許請求の範囲】
【請求項１】
機器本体の接地部分に設けられ、上記機器本体の設置時に状態を安定させて転倒を防止する安定脚を備えた機器であって、
上記安定脚は、上記接地部分より外方に突出した使用位置と上記接地部分に設けられた収納部に収納された収納位置との間を移動可能にされると共に、
上記安定脚は、使用位置において機器本体に設けられたロック手段によって移動がロックされ、下方又は側方からの押圧によって上記ロック手段による上記ロックが解除される
ことを特徴とする安定脚を備えた機器。
【請求項２】
上記安定脚には係合部が設けられ、
上記係合部は、安定脚を収納位置に移動させると所定の位置に移動する
ことを特徴とする請求項１に記載の安定脚を備えた機器。
【請求項３】
上記安定脚は、上記使用位置と収納位置との間を摺動によって移動可能に機器本体に取着されている
ことを特徴とする請求項１に記載の安定脚を備えた機器。
【請求項４】
上記安定脚は、上記使用位置と収納位置との間を回動によって移動可能に機器本体に取着されている
ことを特徴とする請求項１に記載の安定脚を備えた機器。
【請求項５】
所要の各種要素を内包した装置本体の接地部分に設けられ、上記装置本体の設置時に状態を安定させて転倒を防止する安定脚を備えた映像表示装置であって、
上記安定脚は、上記接地部分より外方に突出した使用位置と上記接地部分に設けられた収納部に収納された収納位置との間を移動可能にされると共に、
上記安定脚は、使用位置において装置本体に設けられたロック手段によって移動がロックされ、下方又は側方からの押圧によって上記ロック手段による上記ロックが解除される
ことを特徴とする映像表示装置。
【請求項６】
上記安定脚には係合部が設けられ、
上記係合部は、安定脚を収納位置に移動させると所定の位置に移動する
ことを特徴とする請求項５に記載の映像表示装置。
【請求項７】
上記安定脚は、上記使用位置と収納位置との間を摺動によって移動可能に機器本体に取着されている
ことを特徴とする請求項５に記載の映像表示装置。
【請求項８】
上記安定脚は、上記使用位置と収納位置との間を回動によって移動可能に機器本体に取着されている
ことを特徴とする請求項５に記載の映像表示装置。
【請求項９】
機器本体の接地部分に設けられ、上記機器本体の設置時に状態を安定させて転倒を防止する安定脚を備えた機器であって、
上記安定脚は、上記接地部分より外方に突出した使用位置と上記接地部分に設けられた収納部に収納された収納位置との間を移動可能にされると共に、使用位置において機器本体に設けられたロック手段によって移動がロックされ、下方からの押圧によって上記ロック手段による上記ロックが解除され、収納位置に移動させると所定の位置に移動する係合部を備えており、
上記機器本体の上面に、上記ロック手段を解除する凸状のロック解除手段と、上記所定位置の係合部に対応する被係合部を備えた
ことを特徴とする安定脚を備えた機器。
【請求項１０】
機器本体の接地部分に設けられ、上記機器本体の設置時に状態を安定させて転倒を防止する安定脚を備えた機器の接地部分と略同一形状の載置面を有し、該安定脚を備えた機器が載置される機器載置台であって、
上記安定脚を備えた機器の安定脚は、上記接地部分より外方に突出した使用位置と上記接地部分に設けられた収納部に収納された収納位置との間を移動可能にされると共に、使用位置において機器本体に設けられたロック手段によって移動がロックされ、下方からの押圧によって上記ロック手段による上記ロックが解除され、収納位置に移動させると所定の位置に移動する係合部を備え、
上記載置面に、上記ロック手段を解除する凸状のロック解除手段と、上記所定位置の係合部に対応する被係合部を備えた
ことを特徴とする機器載置台。
【請求項１１】
機器本体の接地部分に設けられ、上記機器本体の設置時に状態を安定させて転倒を防止する安定脚を備えた機器と、
該安定脚を備えた機器の接地部分と略同一形状の載置面を有し、該安定脚を備えた機器が載置される機器載置台とからなる機器の展示システムであって、
上記安定脚を備えた機器の安定脚は、上記接地部分より外方に突出した使用位置と上記接地部分に設けられた収納部に収納された収納位置との間を移動可能にされると共に、使用位置において機器本体に設けられたロック手段によって移動がロックされ、下方からの押圧によって上記ロック手段による上記ロックが解除され、収納位置に移動させると所定の位置に移動する係合部を備え、
上記機器載置台の載置面は、上記ロック手段を解除する凸状のロック解除手段と、上記所定位置の係合部に対応する被係合部を備え、
上記安定脚を備えた機器を上記機器載置台に載置すると、上記ロック解除手段により上記ロックが解除され、上記安定脚を収納位置に移動させると、上記係合部が上記被係合部に係合し、上記安定脚を備えた機器と上記機器載置台が連結される
ことを特徴とする機器の展示システム。
【請求項１２】
所要の各種要素を内包した装置本体の接地部分に設けられ、上記装置本体の設置時に状態を安定させて転倒を防止する安定脚を備えた映像表示装置であって、
上記安定脚は、上記接地部分より外方に突出した使用位置と上記接地部分に設けられた収納部に収納された収納位置との間を移動可能にされると共に、使用位置において装置本体に設けられたロック手段によって移動がロックされ、下方からの押圧によって上記ロック手段による上記ロックが解除され、収納位置に移動させると所定の位置に移動する係合部を備えており、
上記装置本体の上面に、上記ロック手段を解除する凸状のロック解除手段と、上記所定位置の係合部に対応する被係合部を備えた
ことを特徴とする映像表示装置。
【請求項１３】
所要の各種要素を内包した装置本体の接地部分に設けられ、上記装置本体の設置時に状態を安定させて転倒を防止する安定脚を備えた映像表示装置の接地部分と略同一形状の載置面を有し、該安定脚を備えた映像表示装置が載置される映像表示装置載置台であって、
上記安定脚を備えた映像表示装置の安定脚は、上記接地部分より外方に突出した使用位置と上記接地部分に設けられた収納部に収納された収納位置との間を移動可能にされると共に、使用位置において装置本体に設けられたロック手段によって移動がロックされ、下方からの押圧によって上記ロック手段による上記ロックが解除され、収納位置に移動させると所定の位置に移動する係合部を備え、
上記載置面に、上記ロック手段を解除する凸状のロック解除手段と、上記所定位置の係合部に対応する被係合部を備えた
ことを特徴とする映像表示装置載置台。
【請求項１４】
所要の各種要素を内包した装置本体の接地部分に設けられ、上記装置本体の設置時に状態を安定させて転倒を防止する安定脚を備えた映像表示装置と、
該安定脚を備えた映像表示装置の接地部分と略同一形状の載置面を有し、該安定脚を備えた映像表示装置が載置される映像表示装置載置台と
からなる映像表示装置の展示システムであって、
上記安定脚を備えた映像表示装置の安定脚は、上記接地部分より外方に突出した使用位置と上記接地部分に設けられた収納部に収納された収納位置との間を移動可能にされると共に、使用位置において装置本体に設けられたロック手段によって移動がロックされ、下方からの押圧によって上記ロック手段による上記ロックが解除され、収納位置に移動させると所定の位置に移動する係合部を備え、
上記映像表示装置載置台の載置面は、上記ロック手段を解除する凸状のロック解除手段と、上記所定位置の係合部に対応する被係合部を備え、
上記安定脚を備えた映像表示装置を上記映像表示装置載置台に載置すると、上記ロック解除手段により上記ロックが解除され、上記安定脚を収納位置に移動させると、上記係合部が上記被係合部に係合し、上記安定脚を備えた映像表示装置と上記映像表示装置載置台が連結される
ことを特徴とする映像表示装置の展示システム。
【請求項１５】
映像を表示する画面の大きさに影響されずに接地面から画面の中心までの高さを映像表示特性に適合した高さで展示することを可能にする映像表示装置の展示方法であって、
上記映像表示装置の接地部分には、該接地部分より外方に突出した使用位置と上記接地部分に設けられた収納部に収納された収納位置との間で移動可能な安定脚が設けられ、
接地面から載置面までの高さがぞれぞれ異なる複数種類の載置台を用意し、該複数種類の載置台を適宜に組みあわせ使用して最上段の載置面に上記映像表示装置を載置することによって、映像表示装置の画面の大きさに影響されることなく接地面から映像表示装置の画面の中心までの高さが所望の高さになるようにする
ことを特徴とする映像表示装置の展示方法。
【発明の詳細な説明】
【０００１】
【発明が属する技術分野】
本発明は、安定脚を備えた機器、映像表示装置、機器載置台、機器の展示システム、映像表示装置載置台、映像表示装置の展示システム及び映像表示装置の展示方法に関する。詳しくは、安定脚を有する機器、例えば、映像表示装置において、安定脚が不要な場合に収納可能にする構造及び映像表示装置の画面の大きさに影響されずに接地面から画面の中心までの高さを映像表示特性に適した高さで展示可能にするシステム又は方法などに関する。
【０００２】
【従来の技術】
例えば、大型の映像表示装置や収納什器（ロッカーやキャビネット）などの各種機器（以下、単に「機器」という）の中には、重心位置が比較的高かったり、接地面の幅の割に高さが高すぎる形状であったりするために、設置時に不安定な状態になって転倒し易くなってしまうものがある。
【０００３】
上記のような設置時に不安定な状態になってしまう機器においては、一般的に、設置時の状態を安定させて容易に転倒しないようにするために、機器の外縁より外方に突出した安定脚が設けられることが多い。上記安定脚は、通常、機器の接地部分から外方に突出するようにに設けられており、機器の接地面の幅を実質的に広くすることによって、設置時に機器を転倒しにくくするものである。
【０００４】
図２６は従来の安定脚を有する機器の一例としての映像表示装置ａを示すものである。上記映像表示装置ａは、映像が表示される画面ｂを備えた装置本体ｃの接地部分に安定脚ｄが設けられている。
【０００５】
上記安定脚ｄは、装置本体ｃの最下部である接地部分ｅの外縁より外方に突出した状態とされ、床面に接地して、映像表示装置ａの接地面の幅を実質的に広くするように機能する。
【０００６】
したがって、上記したような映像表示装置ａにあっては、装置本体ｃの最下部である接地部分ｅの外縁より外方に突出した安定脚ｄによって、安定脚ｄが突出した方向への転倒が防止され、安定した状態で設置することが可能になる。
【０００７】
【発明が解決しようとする課題】
ところで、従来の映像表示装置では、販売のために行なわれる展示や実際の使用時において、デザイン的にも統一された専用の載置スタンド（載置台）上に載置されることがある。映像表示装置を載置スタンド上に載置した場合、載置スタンドによって安定した状態に支持されるため転倒する虞もなくなるので、安定脚を使用することは不要になる。そして、映像表示装置を載置スタンド上に載置した状態で、機能的に不要になった安定脚が外方に大きく突出した状態のままであると、邪魔になってしまうと共に、映像表示装置と載置スタンドとのデザイン的な一体感が損なわれることになる。
【０００８】
また、収納什器など、映像表示装置以外の安定脚を有する機器にあっても、上記映像表示装置の場合と同様の問題があった。
【０００９】
そこで、安定脚を装置本体又は機器本体の接地部分の前縁から突出した使用位置と接地部分の前縁から引っ込んだ収納位置との間を移動自在にしたり、安定脚を装置本体又は機器本体に対し着脱自在にしたりすることが考えられる。
【００１０】
これによって、展示などの場合には、安定脚を装置本体又は機器本体の内部に収納したり、装置本体又は機器本体から取り外したりすることによって、安定脚が邪魔になってしまうことをなくし、外観をすっきりさせることが可能になり、更に、載置スタンドと映像表示装置とを組み合わせる場合にあっては、デザイン的な一体感を保つことも可能になる。
【００１１】
しかし、上記したように、安定脚を装置本体又は機器本体の内部に収納したり、装置本体又は機器本体から取り外したりすることができるようにすると、以下に示すような新たな問題点が生じる。
【００１２】
不要な場合には安定脚を装置本体の内部に収納することが可能にされている場合では、使用位置で安定脚に何らかの外力が加わって、安定脚が使用位置から移動してしまうと、設置状態を安定させるという安定脚の機能が十分に果たせなくなってしまう。
【００１３】
したがって、上記のように使用位置において安定脚が安易に移動しないようにするためには、使用位置において安定脚をロックしておくことが必要になる。しかし、安定脚を使用位置においてロックするようにすると、不要になった安定脚を収納位置に移動させる場合に、ロックを解除するという手間が増えて作業が煩雑になってしまうという問題があった。
【００１４】
本発明は、上記問題点に鑑み、設置状態を安定させるための安定脚を有する機器及び映像表示装置において、使用位置と収納位置との間を移動可能にされた安定脚を、使用位置において安易に移動してしまわないようにロックすると共に、安定脚を移動させても不都合が生じないときには、使用位置における安定脚のロックが容易に解除されるようにすることを課題とする。
【００１５】
【課題を解決するための手段】
上記課題を解決するために、例えば、本発明安定脚を備えた機器は、安定脚を、機器本体の接地部分より外方に突出した使用位置と上記接地部分に設けられた収納部に収納された収納位置との間を移動可能にすると共に、使用位置においては機器本体に設けられたロック手段によって移動がロックされ、下方又は側方からの押圧によってロック手段によるロックが解除されるようにしたものである。
【００１６】
また、本発明映像表示装置は、安定脚を、装置本体の接地部分より外方に突出した使用位置と上記接地位置に設けられた収納部に収納された収納位置との間を移動可能にすると共に、使用位置においては装置本体に設けられたロック手段によって移動がロックされ、下方又は側方からの押圧によってロック手段によるロックが解除されるようにしたものである。
【００１７】
したがって、本発明安定脚を備えた機器及び本発明映像表示装置などにあっては、ロック手段を下方又は側方から押圧すると安定脚の使用位置でのロックが解除され、安定脚は使用位置から収納位置へと移動可能になる。
【００１８】
更に、本発明映像表示装置の展示システム又は展示方法は、映像表示装置の接地部分に、接地部分より外方に突出した使用位置と上記設置部分に設けられた収納部に収納された収納位置との間で移動可能な安定脚を設け、接地面から載置面までの高さがぞれぞれ異なる複数種類の載置台を用意し、複数種類の載置台を適宜に組みあわせ使用して最上段の載置面に映像表示装置を載置することによって、映像表示装置の画面の大きさに影響されることなく接地面から映像表示装置の画面の中心までの高さを所望の高さになるようにしたものである。
【００１９】
したがって、本発明映像表示装置の展示システム又は展示方法にあっては、接地面から映像表示装置の画面の中心までの高さがそれぞれ異なる複数種類の映像表示装置であっても、接地面から映像表示装置の画面の中心までの高さが所望の高さで一定になる。
【００２０】
【発明の実施の形態】
以下の本発明の実施の形態を添付図面を参照して説明する。
【００２１】
先ず、本発明安定脚を備えた機器である映像表示装置の第１の実施の形態について、図１乃至図１２を用いて説明する。
【００２２】
映像表示装置１は、４０インチ以上の対角寸法の画面（映像表示面）を有する大型の映像表示装置であり、図１に示すように、装置本体２の前面２ａに画面３が設けられている。上記映像表示装置１は、例えば、装置本体２内に投影装置を備え、画面３にその背面側から映像を投影して表示するようにされた所謂リアプロジェクションタイプの映像表示装置である。
【００２３】
なお、映像表示装置１としては、上記したようなリアプロジェクションタイプの映像表示装置に限らず、プラズマディスプレイ等の装置本体が偏平な映像表示装置や大型のブラウン管を使用した映像表示装置等であっても良い。また、映像表示装置１としては、４０インチ以上の対角寸法の画面を有する大型の映像表示装置を例示したが、本発明の適用対象がこのような大画面を有する大型の映像表示装置に限定されるものではない。
【００２４】
以下の説明において、前後及び上下左右の方向について述べるときは、上記装置本体２の画面３が設けられた側を前方としてその反対側を後方、画面３に向かっての上下及び左右の方向を、そのまま上下及び左右の方向とする（後述する別の適用例及び第２の実施の形態においても同様とする）。
【００２５】
映像表示装置１には、接地面である下面２ｃの前後方向の幅を実質的に広げて設置時の状態を安定させ、前側に転倒することがないようにするために安定脚４が設けられている。安定脚４は装置本体２の下端（接地部分）に設けられ、映像表示装置１を直接床の上などに設置したときには、装置本体２の外縁より前方に突出した状態になって、映像表示装置１の接地面の前後方向の幅を実質的に広げて設置状態を安定させ、転倒しないようにするものである。
【００２６】
上記安定脚４は、図２及び図３に示すように、左右に長い板状をした脚本体５と該脚本体５を支持するパイプフレーム６とによって構成される。
【００２７】
上記脚本体５は、上下方向に見て、左右方向における寸法が前端部よりも後端部の方が僅かに大きくされた、横長の台形状を為している。また、脚本体５は、図４に垂直断面で示すように、上部壁５ａと、該上部壁５ａの前縁及び左右側縁より下方に突出するように形成された周壁５ｂを有する。脚本体５は、上記上部壁５ａ及び周壁５ｂによって、左右方向に見て、上下の厚みが前端より後端の方が厚くされた楔形状を為すようにされている。
【００２８】
上記パイプフレーム６は、図２及び図３に示すように、クランク状に９０°の角度で複数回屈曲され、左右対称な形状を為すものである。すなわち、パイプフレーム６は、中央で左右方向に延びた中央部６ａと、該中央部６ａの左端及び右端からそれぞれ前方に延びた被支持部６ｂ、６ｂと、該被支持部６ｂ、６ｂの前端からそれぞれ外方に、すなわち、右方又は左方に延びた支持部６ｃ、６ｃと、該支持部６ｃ、６ｃの外端、すなわち、左端又は右端からそれぞれ後方に延びた係合部６ｄ、６ｄとによって構成される。上記中央部６ａと被支持部６ｂ、６ｂとの境界部分、被支持部６ｂ、６ｂと支持部６ｃ、６ｃとの境界部分及び支持部６ｃ、６ｃと係合部６ｄ、６ｄとの境界部分においては、パイプフレーム６は９０°折り曲げられている。
【００２９】
そして、上記パイプフレーム６は、図２及び図３に示すように、固定部材７、７によって脚本体５に固定される。上記固定部材７、７は、脚本体５の上部壁５ａに下方から取り付けられる。
【００３０】
上記固定部材７、７の上面には、図４に示すように、パイプフレーム６の支持部６ｃ、６ｃと嵌合する略Ｕ字状の嵌合溝７ａ、７ａが形成されている。また、脚本体５の固定部材７、７が固定される部分（以下、「固定部」という。）５ｃ、５ｃは下方に突出され、該固定部５ｃ、５ｃの下面には上記固定部材７、７の嵌合溝７ａ、７ａと同様の略Ｕ字状をした嵌合溝５ｄ、５ｄが形成されている。
【００３１】
そして、脚本体５の固定部５ｃ、５ｃに下方から上記固定部材７、７が取り付けられるとき、固定部５ｃ、５ｃの嵌合溝５ｄ、５ｄと固定部材７、７の嵌合溝７ａ、７ａとの間に上記パイプフレーム６の支持部６ｃ、６ｃが嵌合されることによって、脚本体５と固定部材７、７との間にパイプフレームが挟み込まれた状態になって、脚本体５にパイプフレーム６が２カ所で固定される。
【００３２】
接地面である装置本体２の下面２ｃに収納凹部８が設けられている。該収納凹部８は、安定脚４全体が収納される部分であり、安定脚４の全体形状に合わせて複数の部分に分かれた形状に形成されている。
【００３３】
上記収納凹部８は、装置本体２の下面２ｃの前端寄りに位置し前面２ａ側に開口した前部８ａと、該前部８ａの左右の端部からそれぞれ後方に向かって延びた左側部８ｂ及び右側部８ｃと、上記前部８ａの左右方向における中央部分の後方に稍離間して位置した後部８ｄとによって構成される。なお、上記後部８ｄは、前部８ａと比べて、前後の寸法では稍大きく、左右の寸法では約２分の１の大きさを有する。
【００３４】
上記前部８ａと後部８ｄとは前部８ａの後端と後部８ｄの左右の端部とで連結され、この連結された部分（以下、連結部）８ｅ、８ｅにスライドガイド９、９が設けられる。また、収納凹部８の左側部８ｂ及び右側部８ｃの後方寄りの位置には後述するロック手段１０、１０がそれぞれ配設されている。
【００３５】
上記スライドガイド９、９は、装置本体２に安定脚４を取着すると共に、安定脚４を装置本体２に対して前後方向に移動可能に支持するものである。スライドガイド９、９の上面には、パイプフレーム６の支持部６ｂ、６ｂと係合する略Ｕ字状の係合溝９ａ、９ａが形成されている。また、上記収納凹部８の連結部８ｅ、８ｅの一部８ｆ、８ｆは下方に突出され、この下方に突出した部分（以下、「突出部」という。）８ｆ、８ｆの下面には上記スライドガイド９、９の係合溝９ａ、９ａと同様の略Ｕ字状をした係合溝８ｇ、８ｇが形成されている。
【００３６】
スライドガイド９、９は、上記連結部８ｅ、８ｅの突出部８ｆ、８ｆに取り付けられることによって、パイプフレーム６の被支持部６ｂ、６ｂを摺動自在な状態で支持し、安定脚４を装置本体２に対して前後方向に移動可能にする。スライドガイド９、９は、図２及び図３に示すように、上記連結部８ｅ、８ｅの突出部８ｆ、８ｆに下方から取り付けられる。そして、このとき、上記突出部８ｆ、８ｆの係合溝８ｇ、８ｇとスライドガイド９、９の係合溝９ａ、９ａとの間に、図５に示すように、上記パイプフレーム６の被支持部６ｂ、６ｂが位置される。これによってパイプフレーム６が装置本体２に対して摺動可能な状態で支持され、装置本体２に安定脚４が２カ所で取り付けられることになる。
【００３７】
上記したように、パイプフレーム６の被支持部６ｂ、６ｂがスライドガイド９、９によって摺動自在な状態で支持されることによって、安定脚４は、脚本体５が装置本体２の前面（外縁）２ａよりも前方（外方）に突出した使用位置（図１及び図２に示す状態）と、装置本体２の収納凹部８内に収納されて前面２ａよりも内側（内方）に位置した収納位置（図３に示す状態）との間を移動可能になる。
【００３８】
すなわち、上記収納位置において安定脚４は、図３に示すように、装置本体２の前面２ａから外方に突出することがなく、装置本体２の下面２ｃに設けられた収納凹部８に全体が収納された状態となる。
【００３９】
ところで、安定脚４の使用位置とは、映像表示装置１を設置したときに装置本体２が転倒しないようにする位置であるので、何らかの力が加わったときでも安定脚４の位置が安易に移動してしまわないようにする必要がある。したがって、映像表示装置１には、安定脚４の移動を使用位置でロックするためのロック手段１０、１０が設けられている。
【００４０】
上記ロック手段１０、１０は、図２、図３、図８乃至図１１に示すように、上記収納凹部８の左側部８ｂ及び右側部８ｃの後方寄りの位置に設けられており、下方に向かって開口した長方形の保持穴１１、１１と、該保持穴１１、１１内に摺動可能に配設された係合部材１２、１２と、該係合部材１２、１２を下方に付勢するコイルバネ１３、１３とから成る。
【００４１】
上記保持穴１１、１１は、図８乃至図１１に示すように、開口部１１ａの内径が内部１１ｂの内径よりも小径にされている。これにより、開口部１１ａには開口の中心方向に突出した突出縁１１ｃが形成されている。
【００４２】
上記係合部材１２、１２は保持穴１１、１１の形状に対応して長方形の角柱状に形成されている。係合部材１２、１２は、全体的に開口部１１ａの内径と略同じ外径を有するようにされ、上端部に外方に突出した抜け止めフランジ１２ａ、１２ａが形成されている。
【００４３】
上記係合部材１２、１２は、保持穴１１、１１内に上下に移動可能な状態で配置される。そして、上記コイルバネ１３、１３が、係合部材１２、１２と保持穴１１、１１の上面との間で縮設され、これにより、係合部材１２、１２は常時下方に付勢される。
【００４４】
係合部材１２、１２は、図８に示すように、コイルバネ１３、１３によって下方に付勢されて、抜け止めフランジ１２ａ、１２ａが保持穴１１、１１の突出縁１１ｃ、１１ｃに上側から当接する位置まで下方に移動し、下端から３分の２程度の部分が保持穴１１、１１から下方に突出した状態になる。この時、上記抜け止めフランジ１２ａ、１２ａが保持穴１１、１１の突出縁１１ｃ、１１ｃに上側から当接することによって、係合部材１２、１２の保持穴１１、１１からの抜け止めが為される。
【００４５】
したがって、収納凹部８の左側部８ａ及び右側部８ｂの後方寄りの位置で上記ロック手段１０、１０の係合部材１２、１２が下方に突出した状態になっているので、この突出した係合部材１２、１２に安定脚４のパイプフレーム６の係合部６ｄ、６ｄの後端が当接し、この当接によって安定脚４の後方への移動、すなわち、使用位置から収納位置への移動がロックされる（図２及び図８参照）。
【００４６】
上記ロック手段１０、１０による安定脚４の使用位置でのロックの解除は、何らかの手段によってロック手段１０、１０の係合部材１２、１２を上方に押圧することによって行うことが可能である。そして、映像表示装置１においては、ロック手段１０、１０による使用位置での安定脚４のロックを解除しない限り、安定脚４を収納凹部８内に収納された収納位置に移動させることはできない。
【００４７】
以下は、ロック手段１０、１０による使用位置での安定脚４のロックを解除するために、映像表示装置１が載置される載置台にロックを解除する手段を設けた例を示すものである。
【００４８】
映像表示装置１は、単体で床の上などに設置されて使用されるだけではなく、図６及び図７に示すように、映像表示装置１とデザイン的に統一性を有するように形成された専用載置台１４の上に載置されることがある。
【００４９】
上記載置台１４には、前後方向における接地面の幅を広くするために下部の一部が板状に前方に突出することによって形成された脚部１４ａが設けられている。また、載置台１４は、図９乃至図１２に示すように、映像表示装置１が載置される載置面１４ｂに設けられた押圧突起１５、１５（片方のみを図示）を有する。なお、載置台１４の載置面１４ｂと、映像表示装置１の装置本体２の下面２ｃとは、略同じ大きさを有するようにされている。
【００５０】
上記押圧突起１５、１５は、映像表示装置１のロック手段１０、１０の位置に対応した位置に設けられている。載置台１４上に映像表示装置１を載置したときには、押圧突起１５、１５はロック手段１０、１０の係合部材１２、１２を上方に押圧して、ロック手段１０、１０による安定脚４のロックを解除するように働く。
【００５１】
また、押圧突起１５、１５の後側の面１５ａ、１５ａは下方に行くに従って後方に変位する斜面とされている。また、押圧突起１５、１５には前後に開口した係合孔１５ｂ、１５ｂが形成されている（図１２参照）。
【００５２】
なお、上記押圧突起１５、１５の後側の面（以下、「後側の斜面」という。）１５ａ、１５ａが斜面とされているのは、載置台１４上に映像表示装置１を載置するとき、装置本体２の前後方向における位置を正しい位置に合わせることができるようにする、所謂ガイド面として機能させる為である。すなわち、装置本体２の位置が載置台１４に対して僅かに前方にずれていたときには、上記後側の斜面１５ａ、１５ａに装置本体２の下面２ｃの一部（収納凹部８の後側の縁部）が当接する。この時、上記下面２ｃの一部が、後側の斜面１５ａ、１５ａを滑って下方に移動し、これによって、装置本体２の位置が後方に移動されるので、載置台１４に対する装置本体２の位置関係が適正になる。
【００５３】
ところで、映像表示装置１は、載置台１４の上に載置しないで、単体で床の上などに設置されて使用されるときには、安定脚４はロック手段１０、１０によって使用位置で移動がロックされている（図８参照）。そして、映像表示装置１を載置台１４の上に載置したときには、ロック手段１０、１０の係合部材１２、１２が、押圧突起１５、１５によって下方から押圧されて、コイルバネ１３、１３を圧縮しながら上方に移動する（図９及び図１０参照）。係合部材１２、１２が上方へ移動すると、係合部材１２、１２と安定脚４のパイプフレーム６の係合部６ｄ、６ｄの後端との当接が解除されるため。安定脚４を後方に移動させて、全体を収納凹部８内に収納することができるようになる（図１０及び図１１参照）。
【００５４】
映像表示装置１を載置台１４上に載置して安定脚４の使用位置におけるロックを解除し、図１０及び図１１に順に示すように、安定脚４を後方に移動させて収納凹部８内に収納された収納位置に移動させると、パイプフレーム６の係合部６ｄ、６ｄも後方に移動することになる。そして、上記係合部６ｄ、６ｄが押圧突起１５、１５の係合孔１５ｂ、１５ｂと係合して、映像表示装置１と載置台１４とが連結される。そして、この映像表示装置１と載置台１４とが連結された状態においては、安定脚４を収納位置から使用位置に移動させない限り映像表示装置１と載置台１４とを分離することができないようになる。
【００５５】
なお、安定脚４の使用位置におけるロックの解除は、上記した押圧突起１５、１５による下方からの押圧に限らず、適宜な手段によって前後左右の側方から押圧することによって為される構造にしても良い。
【００５６】
また、映像表示装置１のロック手段１０、１０の位置に合わせて載置台１４の載置面１４ｂに設けられた押圧突起１５、１５と略同じ構造及び機能を有する突起を、映像表示装置１の装置本体２の上面２ｄに設けるようにしても良い。この場合、例えば、複数の映像表示装置１、１、…を積み重ねたときに、映像表示装置１を載置台１４の上に載置したときと同様に、下に位置した映像表示装置に設けられた突起によってロック手段１０、１０のロックが解除される。したがって、上に位置する映像表示装置１の安定脚４を収納位置に移動して収納凹部８内に収納することが可能になると共に、複数の映像表示装置１、１、…を連結することが可能になる。複数の映像表示装置１、１、…を積み重ね連結することによって、その画面３、３、…をマトリクス状に配置して全体を１つの画面として利用することもできる。
【００５７】
図１３乃至図１５は、上記映像表示装置１において示した安定脚４及び収納凹部８、ロック手段１０、１０などの構成を、安定脚を備えた機器の一例である収納什器（以下、「キャビネット」という。）２０に適用した例を示すものである。なお、上記収納什器としては、キャビネット２０に限定されるわけではなく、タンス等であっても何ら問題はない。
【００５８】
なお、以下のキャビネット２０の各部の説明において、上記映像表示装置１の各部と同様の構成を有する部分については、上記映像表示装置１の各部の説明において用いた符号と同様の符号を用いることによって、詳細な説明は省略する。
【００５９】
キャビネット２０は、図１３に示すように、機器本体２１を有する。上記機器本体２１の前面２１ａには前方に向かって開口した収納凹部２２、２２、２２が設けられ、該収納凹部２２、２２、２２には、出し入れ自在にされた引き出し２３、２３、２３が収容されている。
【００６０】
キャビネット２０は、接地面である機器本体２１の下面２１ｃの前後方向の幅を実質的に広げて設置時の状態を安定させ、前側に転倒することがないようにするために安定脚４が設けられている。安定脚４は機器本体２１の下端（接地部分）に設けられ、キャビネット２０を直接床の上などに設置したときには、キャビネット２０の外縁より前方に突出した状態になって、下面２１ｃの前後方向の幅を実質的に広げて設置状態を安定させ、転倒しないようにするものである。
【００６１】
機器本体２１の下面２１ｃに収納凹部８が設けられている。なお、上記機器本体２１の下面２１ｃは、前記映像表示装置１の装置本体２の下面２ｃの構造と全く同じ構造を有するものである。
【００６２】
また、キャビネット２０の上面２１ｄには、前記映像表示装置１を載置するために用いた載置台１４と同様に、押圧突起１５、１５が設けられている。上記押圧突起１５、１５は、キャビネット２０の下面２１ｃの収納凹部８内に設けられたロック手段１０、１０の位置に対応した位置に設けられている。例えば、キャビネット２０の上に別のキャビネット２０を載置したときには、図１４及び図１５に示すように、下側のキャビネット２０の上面２１ｄの押圧突起１５、１５によって、上側のキャビネット２０のロック手段１０、１０の係合部材１２、１２が下方から押圧され、上側のキャビネット２０の安定脚４のロックが解除される。
【００６３】
すなわち、キャビネット２０においても、単体で床の上などに設置されて使用されるときには、安定脚４はロック手段１０、１０によって使用位置で移動がロックされている。そして、キャビネット２０を別のキャビネット２０の上に載置したときには、ロック手段１０、１０の係合部材１２、１２が下側のキャビネット２０の押圧突起１５、１５によって下方から押圧されて、コイルバネ１３、１３を圧縮しながら上方に移動して（図１４参照）、係合部材１２、１２と安定脚４の係合部６ｄ、６ｄとの当接が解除されるため、安定脚４を後方に移動させて収納凹部８内に収納することができるようになる（図１５参照）。
【００６４】
そして、安定脚４の使用位置におけるロックが解除され、図１４及び図１５に順に示すように、安定脚４を後方に移動させて収納凹部８内に収納された収納位置に移動させると、パイプフレーム６の係合部６ｄ、６ｄも後方に移動して、押圧突起１５、１５の係合孔１５ｂ、１５ｂと係合して、上下２つのキャビネット２０、２０が連結される。そして、２つのキャビネット２０、２０が連結された状態においては、安定脚４を収納位置から使用位置に移動させない限り２つのキャビネット２０、２０を分離することができないようになる。
【００６５】
なお、キャビネット２０においても、安定脚４の使用位置におけるロック状態の解除は、上記した押圧突起１５、１５による下方からの押圧のみに限らず、適宜な手段によって前後左右の側方からの押圧によって為されるようにしても良い。
【００６６】
次に、本発明安定脚を備えた機器である映像表示装置の第２の実施の形態について、図１６乃至図２３を用いて説明する。
【００６７】
上記した第１の実施の形態において示した安定脚４は、映像表示装置１の装置本体２又はキャビネット２０の機器本体２１に対して、使用位置と収納位置との間を移動するようにされたものである。しかし、本発明安定脚を備えた機器及び映像表示装置において、安定脚の使用位置と収納位置との間の移動は、摺動によるものに限定されるわけではない。
【００６８】
以下に示す本発明安定脚を備えた機器の第２の実施の形態にかかる映像表示装置３０は、回動によって使用位置と収納位置との間を移動するようにされた安定脚を備えたものである。
【００６９】
映像表示装置３０は、図１６及び図１７に示すように、装置本体３１の前面３１ａに画面３２が設けられている。上記映像表示装置３０は、第１の実施の形態において示した映像表示装置１と同様に、装置本体２内に投影装置を備え、画面３２にその背面側から映像を投影して表示するようにされた所謂リアプロジェクションタイプの映像表示装置である。
【００７０】
なお、映像表示装置３０としては、上記のようなリアプロジェクションタイプの映像表示装置に限らず、プラズマディスプレイ等の装置本体が偏平な映像表示装置や大型のブラウン管を使用した映像表示装置等であっても良い。また、映像表示装置３０としては、４０インチ以上の対角寸法の画面を有する大型の映像表示装置を示したが、本発明における機器がこのような大画面を有する大型の映像表示装置に限定されるものではない。
【００７１】
映像表示装置３０には、図１６及び図１７に示すように、接地面である下面３１ｃの前後方向の幅を実質的に広げて設置時の状態を安定させ、前側に転倒することがないようにするために安定脚３３が設けられている。該安定脚３３は装置本体３１の下端（接地部分）に設けられ、映像表示装置３０を直接床の上などに設置したときには、装置本体３１の外縁より前方に突出した状態になって、映像表示装置３０の接地面の前後方向の幅を実質的に広げて設置状態を安定させ、転倒しないようにするものである。
【００７２】
上記安定脚３３は、図１８及び図１９に示すように、左右に長い板状をした脚本体３４と該脚本体３４を回動可能に支持する支持軸３５とによって構成される。上記支持軸３５は脚本体３４を挿通した状態で脚本体３４に固定され、脚本体３４は支持軸３５を介して装置本体３１に対して回動可能に支持される。
【００７３】
接地面である装置本体３１の下面３１ｃに収納凹部３６が設けられている。該収納凹部３６は、安定脚３３が収納される部分であり、安定脚３３の全体形状に合わせた形状に形成されている。収納凹部３６は、左右方向に長い長方形状を為し、装置本体３１の前面３１ａ側に開口している。
【００７４】
上記脚本体３４は、図１９乃至図２１に示すように、垂直断面形状では、上下の厚みが前端より後端の方が厚くされた楔形状を為す。また、脚本体３４の上面３４ａの後方寄りの位置には、左端から右端まで延びる係合溝３４ｂが形成されている。
【００７５】
上記支持軸３５は、図１８及び図１９に示すように、係合溝３４ｂの後側の部分（後端部）３４ｃの上端部で脚本体３４を左右方向に挿通された状態で脚本体３４に固定され、脚本体３４の左右の端面から左右に突出した左端部３５ａ及び右端部３５ｂの先端部分が、上記収納凹部３６内の左右の側壁３６ａ、３６ａに設けられた支持穴３６ｂ、３６ｂに回動自在に支持される。これによって、脚本体３４が装置本体３１に対して図１９の矢印Ａ方向又は矢印Ｂ方向に回動可能に支持される。
【００７６】
したがって、映像表示装置３０において安定脚３３は、上記したように脚本体３４が軸部材３５を介して、装置本体３１に対して回動可能に支持されることによって、装置本体３１の前面（外縁）３１ａよりも前方（外方）に突出した使用位置（図１６に示す状態、図１８に２点鎖線で示す状態）と、装置本体３１の収納凹部３６内に収納されて前面３１ａよりも内側（内方）に位置した収納位置（図１７に示す状態、図１８に実線で示す状態）との間を回動によって移動可能になる。
【００７７】
また、支持軸３５の脚本体３４から左右に突出した左端部３５ａ及び右端部３５ｂには、コイルバネ３７、３７が外嵌されている。そして、上記コイルバネ３７、３７は、図１８に示すように、その一端部３７ａが脚本体３４に係止され、他端部３７ｂが収納凹部３６の側壁３６ａに係止されている。これによって、コイルバネ３７、３７は安定脚３３を収納位置から使用位置に回動させる方向（図１９の矢印Ｂ方向）に常時付勢する。
【００７８】
ところで、安定脚３３の使用位置とは、映像表示装置３０を設置したときに装置本体３１が転倒しないようにする位置であるので、何らかの力が加わったときでも安定脚３３が使用位置から安易に移動してしまわないようにする必要がある。したがって、映像表示装置３０には、安定脚３３の移動を使用位置でロックするためのロック手段３８が設けられている。
【００７９】
上記ロック手段３８は、図１８及び図２０に示すように、上記収納凹部３６の前端寄りの位置に設けられている。ロック手段３８は、図２０に概略的に示すように、係合部材３９と、該係合部材３９を下方に付勢するコイルバネ４０、４０とを有する。
【００８０】
係合部材３９は、図１８及び図２２に示すように、全体形状が左右方向に長く面方向が前後方向を向いた板状に形成されていて、両端寄りの位置にそれぞれ左右に長い長方形状をした切欠３９ａ、３９ａが設けられ、全体が上記切欠３９ａ、３９ａの外側に位置した被押圧部３９ｂ、３９ｂと切欠３９ａと３９ａとの間の部分である係合部３９ｃの３つの部分に分割されている。また、上記係合部３９ｃの上端部には、後方に向かって突出された係合凸部３９ｄが一体に形成されている。
【００８１】
上記係合部材３９は、図２０、図２１及び図２３に概略的に示すように、装置本体３１の下面３１ｃに開口するように設けられた配置凹部４１内に上下方向に摺動可能に配置されている。
【００８２】
また、上記コイルバネ４０、４０は、図２０及び図２１に示すように、係合部材３９が配置された配置凹部４１内において、係合部材３９の上面と配置凹部４１の上面との間で縮設され、これにより、係合部材３９は常時下方に付勢される。コイルバネ４０、４０によって常時下方に付勢されている係合部材３９は、図示しない適宜な手段によって、配置凹部４１からの脱落が防止されている。
【００８３】
なお、安定脚３３が使用位置にあるときには、図２１に示すように、脚本体３４の係合溝３４ｂの前半部分に装置本体３１の外筐の一部３１ｄが挿入されると共に、係合溝３４ｂの後半部分に係合部材３９の係合部３９ｃが挿入される。この時、装置本体３１の外筐の一部３１ｄの前面が係合溝３４の前面に、係合部３９ｃ後面が係合溝３４の後面３４ｄにそれぞれ当接すると共に、脚本体３４の後端部３４ｃの上面３４ｅに、係合部材３９の係合凸部３９ｄの下面３９ｅが弾接した状態になる。
【００８４】
したがって、安定脚３３は、図２１に示すように、コイルバネ４０、４０によって下方に付勢された係合部材３９の、互いに直交した係合部３９ｃの後面及び係合凸部３９ｄの下面３９ｅと、同じく互いに直交した係合溝３４ｂの後面３４ｄ及びこれに続く後端部３４ｃの上面３４ｅとが係合した状態になる。そして、係合凸部３９ｄの下面３９ｅと脚本体３４の後端部３４ｃの上面３４ｅとが当接しているので、安定脚３３が図１９の矢印Ａ方向に回動しようとしたときに脚本体３４の後端部３４ｃの上面３４ｅが上方に移動しようとする動きが係合凸部３９ｄの下面３９ｅによって阻止され、これによって、安定脚３３は、図１９の矢印Ａ方向への回動、すなわち、使用位置から収納位置への回動が阻止され、使用位置において移動がロックされる。
【００８５】
また、安定脚３３は、コイルバネ３７、３７によって常時付勢されているので、上記ロック手段３８の係合部材３９を介して印加されるコイルバネ４０、４０の付勢力に抗して、使用位置よりも上方へ回動することも可能である。しかし、安定脚３３には、装置本体３１の外筐の一部３１ｄが脚本体３４の係合溝３４ｂの前半部分に挿入されていて、上記外筐の一部３１ｄが係合溝３４ｂの底面と前面に当接した状態になっているので、安定脚３３は使用位置よりも上方への回動が阻止される（図２３参照）。
【００８６】
したがって、安定脚３３は、装置本体３１の外筐の一部３１ｄによって、図１９の矢印Ｂ方向、すなわち、使用位置よりも上方への回動が阻止され、ロック手段３８の係合部材３９によって図１９の矢印Ａ方向、すなわち、収納位置方向への回動がロックされる。
【００８７】
上記ロック手段３８による安定脚３３のロックの解除は、何らかの手段によって、係合部材３９の被押圧部３９ｂ、３９ｂが上方に押圧されることによって為される。
【００８８】
係合部材３９は、被押圧部３９ｂ、３９ｂが、上方に押圧されると（図２３の矢印参照）上方に移動し、係合部３９ｃが安定脚３３の脚本体３４の係合溝３４ｂ内から上方へ抜け出て、係合部３９ｃの後面及び係合凸部３９ｄの下面３９ｅと、係合溝３４ｂの後面３４ｄ及びこれに続く後端部３４ｃの上面３９ｅとの係合が解除される。そして、この係合の解除によって、安定脚の使用位置における図１９の矢印Ａ方向への回動のロックが解除されることになる。
【００８９】
したがって、映像表示装置３０においては、ロック手段３８を上方に移動させて安定脚３３のロックを解除しない限り、安定脚３３を収納凹部３６内に収納された収納位置に移動させることはできない。
【００９０】
次に、ロック手段３８による使用位置での安定脚３３のロックを解除するために、映像表示装置３０が載置される載置台にロックを解除する手段を設けた例を示す。
【００９１】
映像表示装置３０は、単体で床の上などに設置されて使用されるだけではなく、図１７に示すように、映像表示装置３０とデザイン的に統一性を有するように形成された専用の載置台４２の上に載置されることがある。
【００９２】
上記載置台４２は、詳細な図示及び説明を省略するが、映像表示装置３０を載置した状態で、映像表示装置３０を転倒しにくく安定した設置状態にするような適宜な構造を有するものである。
【００９３】
上記載置台４２は、図１７、図２０及び図２３に示すように、映像表示装置３０が載置される載置面４２ａの前寄りの位置に設けられた押圧突起４３、４３（片方のみを図示）を有する。なお、上記載置台４２は、回動によって使用位置と収納位置との間を移動する安定脚３３と干渉しないようにするために、装置本体３１を載置した状態において収納凹部３６に対応する部分が上面（載置面４２ａ）から下面に亘って切り欠かれて形成された切欠部４２ｂを有し、全体形状が上下方向に見て略コ字状を為すように形成されている。
【００９４】
載置台４２の上に映像表示装置３０を載置すると、押圧突起４３、４３が、ロック手段３８の係合部材３９の被押圧部３９ｂ、３９ｂを上方に押圧して、ロック手段３８による安定脚３３のロックを解除する（図２３参照）。
【００９５】
また、載置台４２の上部で上記切欠部４２ｂのうち、装置本体３１の収納凹部３６の後端に対応した後面の上端部には、図１８及び図１９に示すように、安定脚３３の回動を阻止して収納位置で固定するための保持手段４４が設けられている。
【００９６】
上記保持手段４４は、保持部材４５と該保持部材４５を前方に付勢するコイルバネ４６とによって構成される。
【００９７】
上記保持手段４４は、例えば、載置台４２の切欠４２ｂの後面の上端部に形成された保持穴４７内に保持部材４５が前後方向に移動可能な状態で配置され、コイルバネ４６が、保持部材４５と保持穴４７の後面との間で縮設され、これにより、保持部材４５は常時前方に付勢される。
【００９８】
保持部材４５の前面４５は、図１９に示すように、前方に行くに従って徐々に上方に変位する斜面となるように形成されている。
【００９９】
安定脚３３を収納位置まで移動させると、保持部材４５の前端が脚本体３４の先端よりも前方に位置し、脚本体３４の上面３４ａが保持部材４５の上面４５ｂに上方から当接して、脚本体３４の図１９の矢印Ｂ方向への回動を阻止した状態となる。
【０１００】
すなわち、安定脚３３を使用位置から収納位置へと回動させて行くと、安定脚３３の位置が収納位置に達する直前で脚本体３４の先端部が保持手段４４の保持部材４５の前面４５ａに当接する。そして、脚本体３４の先端部が保持部材４５の斜面である前面４５ａに当接した状態のまま、安定脚３３を更に収納位置の方向（図１９の矢印Ａ方向）へ回動させると、脚本体３４の先端部による保持部材４５の前面４５ａの上方への押圧によって、前面４５ａ上を脚本体３４の先端部が上方へ向けて滑っていくと同時に、該先端部によって保持部材４５の前面４５ａが後方へ押圧されるので、保持部材４５が後方に移動される。
【０１０１】
そして、安定脚３３が収納位置に達すると、脚本体３４の先端部と保持部材４５の前面４５ａとの当接が解除され、保持部材４５はコイルバネ４６の付勢力によって元の位置（最も前方に突出した位置）に戻る。そして、この状態では、保持部材４５の前端部が脚本体３４の先端部の下側に位置するため、脚本体３４の上面３４ａと保持部材４５の上面４５ｂとが当接し、この当接によって脚本体３４の使用位置への回動がロックされて、安定脚３３は移動することなく収納位置で保持される。
【０１０２】
そして、映像表示装置３０を載置台４２から持ち上げると、載置台４２に設けられている保持部材４５による脚本体３４の収納位置での図１９の矢印Ｂ方向への回動のロックが解除されるため、コイルバネ３７、３７の付勢力によって脚本体３４が図１９の矢印Ｂ方向へ、すなわち、収納位置から使用位置へ向けて回動し、安定脚３３は使用位置まで自動的に移動される。そして、使用位置まで回動してきた脚本体３４は、上記係合溝３４ｂに装置本体３１の外筐の一部３１ｄが係合することによって、使用位置よりも上方への回動が阻止され、同時に、ロック手段３８の係合部材３９の係合部３９ｃが係合溝３４ｂに挿入されて、係合部３９ｃの後面が係合溝３４の後面３４ｄに当接すると共に、脚本体３４の後端部３４ｃの上面３４ｅが係合部材３９の係合凸部３９ｄの下面３９ｅに当接することによって、使用位置において、図１９の矢印Ａ方向及び矢印Ｂ方向への回動が阻止される。
【０１０３】
上記したように、安定脚３３は使用位置において装置本体に設けられたロック手段３８によって移動がロックされ、該ロックの解除はロック手段３８が下方から押圧されることによってのみ為されるので、映像表示装置３０が単体で床面等に設置されるときには、安定脚３３が使用位置から収納位置に移動してしまうことがなく、映像表示装置３０の転倒が防止されて安定した設置状態となる。
【０１０４】
なお、映像表示装置３０においても、上記安定脚３３の使用位置におけるロックの解除は、上記した載置台４２に設けられた押圧突起４３、４３による上方への押圧に限らず、適宜な手段によって前後左右の側方からの押圧によって為されるようにしても良い。
【０１０５】
次に、上記各実施の形態において説明した安定脚を有する映像表示装置を展示して、店舗において販売等のために展示する展示方法について説明する。
【０１０６】
上記展示方法は、映像表示装置を、映像を表示する画面の大きさに影響されずに接地面から画面の中心までの高さを映像表示特性に適合した高さで展示することを可能にするものである。
【０１０７】
また、図示は省略するが、当然ながら、以下に示す展示方法が適用される映像表示装置の接地部分にも、該接地部分の外縁より外方に突出した使用位置と上記外縁より内方に収納された収納位置との間で移動可能な安定脚が設けられている。
【０１０８】
映像表示装置の展示方法は、接地面から載置面までの高さがぞれぞれ異なる複数種類の載置台を用意し、該複数種類の載置台を適宜に組みあわせて使用して、最上段の載置面上に映像表示装置を載置することによって、映像表示装置の画面の大きさに影響されることなく接地面から映像表示装置の画面の中心までの高さが所望の高さになるようにするものである。なお、上記載置台とは、映像表示装置の使用時に用いられ、一般的に載置スタンドなどと称される台だけを示すものではなく、後述する展示時にのみ使用される台座をも含むものである。
【０１０９】
本展示方法は、主として、リアプロジェクションタイプの映像表示装置に適用することを目的としたものである。すなわち、リアプロジェクションタイプの映像表示装置は、上下方向において、画面に表示された映像を正常に認識できる範囲（以下、「視野角」という。）が３０°乃至４０°と狭いという特性を有するため、この狭い視野角による影響を緩和するためのものである。
【０１１０】
リアプロジェクションタイプの映像表示装置においては、上記したように画面の視野角が狭いため、視点が視野角から少しでもずれてしまうと画面に表示された映像を正常に認識することができず、画面に何も表示されていない状態であると誤って認識されてしまうことがあった。したがって、本来の高画質な画面表示が正当に評価されないことがあった。そこで、本発明展示方法は、映像表示装置の映像を表示する画面の大きさに関係なく接地面から画面の中心までの高さを、見る人の目線の高さ合った高さで展示することによって、リアプロジェクションタイプの映像表示装置の問題点、すなわち、画面の視野角が狭いため、視点が視野角から少しでもずれてしまうと画面に表示された映像を正常に認識することができなくなってしまうという問題点を解決しようとするものである。
【０１１１】
以下に、本発明映像表示装置の展示方法の詳細を説明する。
【０１１２】
映像表示装置の展示方法の一例として、それぞれ４２インチ、５０インチ及び６０インチの大きさの画面を有する映像表示装置５０Ａ、５０Ｂ及び５０Ｃを展示する場合について、図２４及び図２５を用いて説明する。
【０１１３】
上記それぞれ異なる大きさの画面を有する映像表示装置５０Ａ、５０Ｂ及び５０Ｃは、単体で床の上等に設置した場合、接地面から画面中心までの高さがそれぞれ異なる。例えば、上記映像表示装置５０Ａ、５０Ｂ及び５０Ｃの場合においては、それぞれ４８ｃｍ、６０ｃｍ及び６８ｃｍである。
【０１１４】
上記映像表示装置５０Ａ、５０Ｂ及び５０Ｃは、使用時においては、単体で直接床の上等に設置されるか、又は、それぞれの大きさに合わせて、載置台の一種である載置スタンド５１、５２の上に載置される。上記載置スタンド５１と５２は、接地面から載置面５１ａ、５２ａまでの高さは共に約４０ｃｍにされているが、載置スタンド５１と５２とは、正面から見た左右の幅が異なり、載置スタンド５１の方が載置スタンド５２よりも左右の幅が小さくされている。
【０１１５】
載置スタンド５１は４２インチの大きさの画面を有する映像表示装置５０Ａに使用され、載置スタンド５２は５０インチ及び６０インチの大きさの画面を有する映像表示装置５０Ｂ及び５０Ｃに使用される。
【０１１６】
ところで、立っている状態の人の目線の高さは、平均的には１４０ｃｍから１５０ｃｍ程度であると思われる。そして、店舗等において、映像表示装置等の商品を顧客が見る場合、立っている状態で見る場合が殆どである。したがって、上記映像表示装置５０Ａ、５０Ｂ及び５０Ｃは、店舗等における展示時には、接地面から画面中心までの高さを、１４０ｃｍから１５０ｃｍ程度にすることによって、映像表示装置５０Ａ、５０Ｂ及び５０Ｃのそれぞれに対し、立っている状態の人の目線の高さが画面の視野角３０°乃至４０°の範囲内に収まるようにすることができ、映像表示装置５０Ａ、５０Ｂ及び５０Ｃの画面に表示された映像が正常な状態で認識されるようになる。
【０１１７】
そこで、本発明映像表示装置の展示方法によれば、図２４及び図２５に示すように、映像表示装置５０Ａ、５０Ｂ及び５０Ｃを展示するに際して、接地面から載置面までの高さがぞれぞれ異なる複数種類の載置台を用意し、該複数種類の載置台を適宜に組みあわせて使用することによって、設置面から映像表示装置５０Ａ、５０Ｂ及び５０Ｃの画面の中心までの高さをそれぞれ、立っている状態の人の目線の高さである１４０ｃｍから１５０ｃｍの範囲内にすることができる。
【０１１８】
また、上記接地面から載置面までの高さがぞれぞれ異なる複数種類の載置台としては、前記載置スタンド５１及び５２に加えて、展示にのみ用いられそれぞれ異なる接地面から載置面までの高さを有する台座５３及び５４が用いられる（図２４参照）。
【０１１９】
図２４に示すように、４２インチの大きさの画面を有する映像表示装置５０Ａには載置スタンド５１と、接地面から載置面５３ａまでの高さが約６０ｃｍの台座５３を使用し、それぞれ５０インチ及び６０インチの大きさの画面を有する映像表示装置５０Ｂ及び５０Ｃには載置スタンド５２と、接地面から載置面５４ａまでの高さが約４０ｃｍの台座５４を使用する。
【０１２０】
また、上記台座５３、５４のみを用いる場合には、図２５に示すように、４２インチの大きさの画面を有する映像表示装置５０Ａには台座５３と５４を１つずつ使用し、それぞれ５０インチ及び６０インチの大きさの画面を有する映像表示装置５０Ｂ及び５０Ｃには２つの台座５４、５４を使用する。
【０１２１】
したがって、載置スタンド５１又は５２と台座５３又は５４とをそれぞれ用いた場合と、台座５３と５４とを組みあわせて用いた場合とのいづれにおいても、映像表示装置５０Ａは接地面から画面の中心までの高さが１４８ｃｍになり、映像表示装置５０Ｂは接地面から画面の中心までの高さが１４０ｃｍになり、映像表示装置５０Ｃは接地面から画面の中心までの高さが１４８ｃｍになる（図２４及び図２５参照）。これによって、映像表示装置５０Ａ、５０Ｂ及び５０Ｃは、画面の大きさに関係なく、接地面から画面の中心までの高さを１４０ｃｍから１５０ｃｍの範囲にして設置することができる。
【０１２２】
なお、上記各映像表示装置５０Ａ、５０Ｂ及び５０Ｃにはそれぞれ、転倒を防止して安定した状態で設置するための図示しない安定脚が設けられており、例えば、上記した載置台上に載置する場合など、不要になったときには、適宜な収納構造によって邪魔にならない位置に収納される。
【０１２３】
また、上記した説明では、本発明映像表示装置の展示方法をリアプロジェクションタイプの映像表示装置における問題点を解決するための展示方法に適用した例を示したが、本発明映像表示装置の展示方法は、リアプロジェクションタイプの映像表示装置に限らず、液晶表示パネルを用いた映像表示装置等、他のタイプの映像表示装置にも適用することができる。
【０１２４】
更に、上記説明では、本発明映像表示装置の展示方法を、店舗等における展示時において、映像表示装置の画面中心の高さを立っている状態の人の目線の高さに合わせるようにした例を示したが、本発明映像表示装置の展示方法はこれに限らず、接地面から映像表示装置の画面の中心までの高さを所望の高さになるようにする画像表示装置の展示方法に広く適用することができる。
【０１２５】
更にまた、上記説明では、映像表示装置を載置する載置台として載置スタンド５１、５２及び台座５３、５４を用いた例を示したが、映像表示装置を載置する載置台がこれらに限定されるものではなく、映像表示装置を展示する際に、接地面から映像表示装置の画面の中心までの高さ所望の高さにすることができる載置台であれば使用することができる。
【０１２６】
前記各実施の形態において示した各部の具体的な形状及び構造は、何れも本発明を実施するに際して行う具体化のほんの一例を示したものに過ぎず、これらによって本発明の技術的範囲が限定的に解釈されることがあってはならないものである。
【０１２７】
【発明の効果】
以上に記載したところから明らかなように、本発明安定脚を備えた機器は、機器本体の接地部分に設けられ、機器本体の設置時に状態を安定させて転倒を防止する安定脚を備えた機器であって、安定脚を機器本体の接地部分より外方に突出した使用位置と接地部分に設けられた収納部に収納された収納位置との間を移動可能にすると共に、安定脚は使用位置において機器本体に設けられたロック手段によって移動がロックされ、下方又は側方からの押圧によってロック手段によるロックが解除されるようにしたことを特徴とする。
【０１２８】
したがって、本発明安定脚を備えた機器にあっては、ロック手段によって安定脚が使用位置において安易に移動してしまわないようにロックできると共に、安定脚を移動させても不都合が生じないときには、例えば、ロック手段を下方又は側方から押圧する適宜な押圧手段を用いることによって、使用位置における安定脚のロックが容易に解除することができる。そのため、例えば、載置台や他の機器の上に載置する場合に、載置台や他の機器にロック手段を押圧する押圧手段を設けることによって、載置台や他の機器の上に載置するだけで使用位置における安定脚のロックを容易に解除することができる。
【０１２９】
請求項２に記載した発明にあっては、安定脚には係合部が設けられ、係合部は安定脚を収納位置に移動させると所定の位置に移動するようにしたので、例えば、機器を載置台の上に載置する場合又は複数の機器を積み重ねて使用する場合には、載置台又は各機器に安定脚の係合部が係合する係合部を設けることによって、機器と載置台又は複数の機器を安定脚を用いて連結することができ、これら機器と載置台又は複数の機器全体を安定した状態で設置できるようになる。
【０１３０】
請求項３に記載した発明にあっては、安定脚は使用位置と収納位置との間を摺動によって移動可能に機器本体に取着されているので、安定脚を移動させるための構造を簡単にすることができると共に、安定脚の移動を容易に行うこともできる。
【０１３１】
請求項４に記載した発明にあっては、安定脚は使用位置と収納位置との間を回動によって移動可能に機器本体に取着されているので、安定脚を移動させるための構造を簡単にすることができると共に、安定脚の移動を容易に行うこともできる。
【０１３２】
また、本発明映像表示装置は、所要の各種要素を内包した装置本体の接地部分に設けられ、装置本体の設置時に状態を安定させて転倒を防止する安定脚を備えた映像表示装置であって、安定脚を接地部分より外方に突出した使用位置と接地部分に設けられた収納部に収納された収納位置との間を移動可能にすると共に、安定脚は使用位置において装置本体に設けられたロック手段によって移動がロックされ、下方又は側方からの押圧によってロック手段によるロックが解除されるようにしたことを特徴とする。
【０１３３】
したがって、本発明映像表示装置にあっては、ロック手段によって安定脚が使用位置において安易に移動してしまわないようにロックできると共に、安定脚を移動させても不都合が生じないときには、例えば、ロック手段を下方又は側方から押圧する適宜な押圧手段を用いることによって、使用位置における安定脚のロックを容易に解除することができる。そのため、例えば、載置台や他の映像表示装置の上に載置する場合に、載置台や他の映像表示装置にロック手段を押圧する押圧手段を設けることによって、載置台や他の映像表示装置の上に載置するだけで使用位置における安定脚のロックを容易に解除することができる。
【０１３４】
請求項６に記載された発明にあっては、安定脚には係合部が設けられ、係合部は安定脚を収納位置に移動させると所定の位置に移動するようにしたので、例えば、映像表示装置を載置台の上に載置する場合又は複数の映像表示装置を積み重ねて使用する場合に、載置台又は各映像表示装置に安定脚の係合部が係合する係合部を設けることによって、映像表示装置と載置台又は複数の映像表示装置を安定脚を用いて連結することができ、映像表示装置と載置台又は複数の映像表示装置全体を安定した状態で設置できるようになる。
【０１３５】
請求項７に記載した発明にあっては、安定脚は、使用位置と収納位置との間を摺動によって移動可能に装置本体に取着されているので、安定脚を移動させるための構造を簡単にすることができると共に、安定脚の移動を容易に行うこともできる。
【０１３６】
請求項８に記載した発明にあっては、安定脚は、使用位置と収納位置との間を回動によって移動可能に装置本体に取着されているので、安定脚を移動させるための構造を簡単にすることができると共に、安定脚の移動を容易に行うこともできる。
【０１３７】
また、本発明安定脚を備えた機器は、機器本体の接地部分に設けられ、機器本体の設置時に状態を安定させて転倒を防止する安定脚を備えた機器であって、安定脚は、接地部分より外方に突出した使用位置と接地部分に設けられた収納部に収納された収納位置との間を移動可能にされると共に、使用位置において機器本体に設けられたロック手段によって移動がロックされ、下方からの押圧によってロック手段によるロックが解除され、収納位置に移動させると所定の位置に移動する係合部を備えており、本発明機器載置台は、さらに、載置面に、上記ロック手段を解除する凸状のロック解除手段と、上記所定位置の係合部に対応する被係合部を備えたことを特徴とする。
【０１３８】
したがって、本発明安定脚を備えた機器などにあっては、複数の本発明機器を積み重ねたときには、２段目以上の機器の安定脚のロック手段が解除され、これらの安定脚を収納位置に移動させることにより、これら複数の本発明機器を安定脚を収納位置に移動した状態で連結することができる。
【０１３９】
また、本発明機器の展示システムは、機器本体の接地部分に設けられ、機器本体の設置時に状態を安定させて転倒を防止する安定脚を備えた機器と、安定脚を備えた機器の接地部分と略同一形状の載置面を有し、安定脚を備えた機器が載置される機器載置台とからなる機器の展示システムであって、安定脚を備えた機器の安定脚は、接地部分より外方に突出した使用位置と接地部分に設けられた収納部に収納された収納位置との間を移動可能にされると共に、使用位置において機器本体に設けられたロック手段によって移動がロックされ、下方からの押圧によって上記ロック手段による上記ロックが解除され、収納位置に移動させると所定の位置に移動する係合部を備え、機器載置台の載置面は、ロック手段を解除する凸状のロック解除手段と、所定位置の係合部に対応する被係合部を備え、安定脚を備えた機器を機器載置台に載置すると、ロック解除手段によりロックが解除され、安定脚を収納位置に移動させると、係合部が被係合部に係合し、安定脚を備えた機器と機器載置台が連結されることを特徴とする。
【０１４０】
したがって、本発明機器の展示システムにあっては、機器載置台に安定脚を備えた機器を載置した時には、機器の安定脚のロック手段が解除され、この安定脚を収納位置に移動させることにより、安定脚を有する機器と機器載置台とを安定脚を収納位置に移動した状態で連結することができる。
【０１４１】
また、本発明安定脚を備えた映像表示装置は、所要の各種要素を内包した装置本体の接地部分に設けられ、装置本体の設置時に状態を安定させて転倒を防止する安定脚を備えた装置であって、安定脚は、接地部分より外方に突出した使用位置と接地部分に設けられた収納部に収納された収納位置との間を移動可能にされると共に、使用位置において装置本体に設けられたロック手段によって移動がロックされ、下方からの押圧によってロック手段によるロックが解除され、収納位置に移動させると所定の位置に移動する係合部を備えており、本発明映像表示装置載置台は、さらに、載置面に、上記ロック手段を解除する凸状のロック解除手段と、上記所定位置の係合部に対応する被係合部を備えたことを特徴とする。
【０１４２】
したがって、本発明映像表示装置などにあっては、複数の本発明映像表示装置を積み重ねたときには、２段目以上の映像表示装置の安定脚のロック手段が解除され、これらの安定脚を収納位置に移動させることにより、これら複数の本発明映像表示装置を安定脚を収納位置に移動した状態で連結することができる。
【０１４３】
また、本発明の映像表示装置の展示システムは、所要の各種要素を内包した装置本体の接地部分に設けられ、装置本体の設置時に状態を安定させて転倒を防止する安定脚を備えた映像表示装置と、安定脚を備えた映像表示装置の接地部分と略同一形状の載置面を有し、安定脚を備えた機器が載置される映像表示装置載置台とからなる映像表示装置の展示システムであって、安定脚を備えた映像表示装置の安定脚は、接地部分より外方に突出した使用位置と接地部分に設けられた収納部に収納された収納位置との間を移動可能にされると共に、使用位置において装置本体に設けられたロック手段によって移動がロックされ、下方からの押圧によってロック手段によるロックが解除され、収納位置に移動させると所定の位置に移動する係合部を備え、映像表示装置載置台の載置面は、ロック手段を解除する凸状のロック解除手段と、所定位置の係合部に対応する被係合部を備え、安定脚を備えた映像表示装置を映像表示装置載置台に載置すると、ロック解除手段によりロックが解除され、安定脚を収納位置に移動させると、係合部が被係合部に係合し、安定脚を備えた映像表示装置と映像表示装置載置台が連結されることを特徴とする。
【０１４４】
したがって、本発明映像表示装置の展示システムにあっては、映像表示装置載置台に安定脚を備えた映像表示装置を載置した時には、映像表示装置の安定脚のロック手段が解除され、この安定脚を収納位置に移動させることにより、安定脚を有する映像表示装置と映像表示装置載置台とを安定脚を収納位置に移動した状態で連結することができる。
【０１４５】
本発明映像表示装置の展示方法にあっては、映像を表示する画面の大きさに影響されずに接地面から画面の中心までの高さを映像表示特性に適合した高さで展示することを可能にする映像表示装置の展示方法であって、映像表示装置の接地部分には、接地部分より外方に突出した使用位置と、接地部分に設けられた収納部に収納された収納位置との間で移動可能な安定脚が設けられ、接地面から載置面までの高さがぞれぞれ異なる複数種類の載置台を用意し、複数種類の載置台を適宜に組みあわせ使用して最上段の載置面に上記映像表示装置を載置することによって、映像表示装置の画面の大きさに影響されることなく接地面から映像表示装置の画面の中心までの高さが所望の高さになるようにしたことを特徴とする。
【０１４６】
したがって、本発明映像表示装置の展示方法にあっては、複数種類の載置台を適宜に組みあわせ使用することによって、映像表示装置の画面の大きさに影響されることなく接地面から映像表示装置の画面の中心までの高さが所望の高さになるので、例えば、映像を表示する画面の大きさに影響されずに接地面から画面の中心までの高さを立っている状態の人の目線の高さに合わせて展示することができるなど、接地面から映像表示装置の画面の中心までの高さを所望の高さにすることができるようになる。
【図面の簡単な説明】
【図１】図２乃至図１５と共に、本発明の第１の実施の形態を示すものであり、本図は映像表示装置の全体を示す斜視図である。
【図２】安定脚が使用位置にあるときの映像表示装置の底面図である。
【図３】安定脚が収納位置にあるときの映像表示装置の底面図である。
【図４】図２のＩＶ−ＩＶ線に沿う拡大断面図である。
【図５】図２のＶ−Ｖ線に沿う拡大断面図である。
【図６】安定脚を使用位置にしたまま映像表示装置を載置台の上に載置した状態を示す斜視図である。
【図７】図６に示す状態から安定脚を収納した状態を示す斜視図である。
【図８】図９乃至図１１と共に、単体で床の上などに設置されていた映像表示装置を載置台の上に載置する場合における映像表示装置及び載置台の各部の状態を順を追って示すものであり、本図は単体で床面などに載置されている状態の映像表示装置の概略縦断面図である。
【図９】映像表示装置を載置台上に載置する直前の状態を示す概略縦断面図である。
【図１０】映像表示装置を載置台上に載置し、安定脚が使用位置にある状態を示す概略縦断面図である。
【図１１】映像表示装置を載置台上に載置し、安定脚を収納位置に移動したときの状態を示す概略縦断面図である。
【図１２】安定脚の係合部と、載置台との関係を概略的に示す斜視図である。
【図１３】図１４及び図１５と共に本発明の第１の実施の形態における別の適用例を示すものであり、本図はキャビネットの全体を示す斜視図である。
【図１４】キャビネットの上に別のキャビネットを載置した状態で、安定脚が使用位置にある状態の要部を概略的に示す縦断面図である。
【図１５】キャビネットの上に別のキャビネットを載置した状態で、安定脚を収納位置に移動させたときの要部を概略的に示す縦断面図である。
【図１６】図１７乃至図２３と共に本発明の第２の実施の形態を示すものであり、本図は、映像表示装置の全体を示す斜視図である。
【図１７】映像表示装置を載置台の上に載置した状態を示す斜視図である。
【図１８】映像表示装置を載置台の上に載置した状態を載置台の接地面側から見て示す図である。
【図１９】安定脚が使用位置と収納位置との間を移動するときの様子を概略的に示す側面図である。
【図２０】安定脚及びロック手段、載置台を概略的に示す斜視図である。
【図２１】ロック手段による安定脚の使用位置におけるロックの様子を側方から見て概略的に示す図である。
【図２２】一部を切り欠いて示す係合部材の拡大側面図である。
【図２３】安定脚の使用位置におけるロックが解除された時の様子を側方から見て概略的に示す図である。
【図２４】本発明映像表示装置の展示方法の一例を示すものである。
【図２５】本発明映像表示装置の展示方法の別の例を示すものである。
【図２６】従来の映像表示装置の一例を示す斜視図である。
【符号の説明】
１…映像表示装置、２…装置本体、４…安定脚、６ｄ…係合部、１０…ロック手段、２０…安定脚を備えた機器、２１…機器本体、３０…映像表示装置、３１…装置本体、３３…安定脚、３８…ロック手段、５０Ａ…映像表示装置、５０Ｂ…映像表示装置、５０Ｃ…映像表示装置、５１…載置台、５２…載置台、５３…載置台、５４…載置台
【図１】
2004056768.tif 000003
【図２】
2004056768.tif 000004
【図３】
2004056768.tif 000005
【図４】
2004056768.tif 000006
【図５】
2004056768.tif 000007
【図６】
2004056768.tif 000008
【図７】
2004056768.tif 000009
【図８】
2004056768.tif 000010
【図９】
2004056768.tif 000011
【図１０】
2004056768.tif 000012
【図１１】
2004056768.tif 000013
【図１２】
2004056768.tif 000014
【図１３】
2004056768.tif 000015
【図１４】
2004056768.tif 000016
【図１５】
2004056768.tif 000017
【図１６】
2004056768.tif 000018
【図１７】
2004056768.tif 000019
【図１８】
2004056768.tif 000020
【図１９】
2004056768.tif 000021
【図２０】
2004056768.tif 000022
【図２１】
2004056768.tif 000023
【図２２】
2004056768.tif 000024
【図２３】
2004056768.tif 000025
【図２４】
2004056768.tif 000026
【図２５】
2004056768.tif 000027
【図２６】
2004056768.tif 000028